(57)【要約】【課題】使用者に省エネルギを意識させることが可能な照明装置を提供する。【解決手段】照明装置は、光源部を有するシーリングライト３と、シーリングライト３を遠隔操作するリモコン５とを備え、リモコン５は表示部を有し、リモコン５は、操作者から電気消費情報を要求されるとシーリングライト３に消費電力値を要求し、シーリングライト３から消費電力値を受信すると電気代を算出して表示部に表示する。【選択図】図９
2016219159.tif 000002
【特許請求の範囲】
【請求項１】
光源部を有するライトと、前記ライトを遠隔操作するリモコンとを備える照明装置において、
前記リモコンは、表示部を有し、前記ライトの電気消費情報を前記表示部に表示する
照明装置。
【請求項２】
前記電気消費情報は、電気代又は消費電力である
請求項１に記載の照明装置。
【請求項３】
前記電気消費情報は、前記ライトで算出される消費電力に基づいている
請求項２に記載の照明装置。
【請求項４】
前記電気消費情報は、基準日からの累積の電気代又は消費電力であり、
前記基準日からの使用日数が設定日数に達した日を次の基準日として、前記累積の電気代又は消費電力が算出される
請求項３に記載の照明装置。
【請求項５】
前記リモコンは前記基準日に関する情報を前記ライトに送信する
請求項４に記載の照明装置。
【請求項６】
前記リモコンは赤外線を利用している
請求項１〜５の何れか１項に記載の照明装置。
【発明の詳細な説明】
【技術分野】
【０００１】
本発明はライトとリモコンとを備える照明装置に関する。
【背景技術】
【０００２】
最近の照明装置は光源としてＬＥＤを利用し、調光機能や調色機能等の各種の機能を有し付加価値を高めている。ライトの点灯、消灯、明るさ、光色等を遠隔操作する無線式のリモコンを備える照明装置も提案されている（例えば特許文献１）。
また、従来から省エネルギを目的として、点灯モードをエコモードに切り替えられる照明装置が提案されている（例えば特許文献２）。
【先行技術文献】
【特許文献】
【０００３】
【特許文献１】特開２０１２−５９４７４号公報
【特許文献２】特開２０１０−１８６７０８号公報
【発明の概要】
【発明が解決しようとする課題】
【０００４】
従来から点灯モードを変化させて省エネルギを達成する技術は提案されているが、使用者に省エネルギを意識させるような照明装置は提案されていない。
本発明は、上記の課題に鑑み、使用者に省エネルギを意識させることが可能な照明装置を提供することにある。
【課題を解決するための手段】
【０００５】
本発明に係る照明装置は、光源部を有するライトと、前記ライトを遠隔操作するリモコンとを備える照明装置において、前記リモコンは、表示部を有し、前記ライトの電気消費情報を前記表示部に表示する。
【発明の効果】
【０００６】
上記構成によれば、操作者はライトの電気消費情報を知ることができ、省エネルギの意識を高めることができる。
【図面の簡単な説明】
【０００７】
【図１】実施形態の照明装置の外観斜視図である。
【図２】実施形態のシーリングライトの断面図である。
【図３】実施形態のシーリングライトの分解斜視図である。
【図４】実施形態のライト本体の保護カバーを一部外した状態を前方から見た図である。
【図５】実施形態の光源部の一部を前方から見た拡大図である。
【図６】実施形態のセンタカバーの斜視図である。
【図７】実施形態のリモコンの分解斜視図である。
【図８】実施形態の壁スイッチを利用する場合の照明装置のシーケンス図である。
【図９】実施形態のリモコンを利用する場合の照明装置のシーケンス図である。
【図１０】実施形態のシーリングライトのブロック図である。
【図１１】実施形態のシーリングライトのフローチャートである。
【図１２】実施形態のリモコンのブロック図である。
【図１３】実施形態のリモコンのフローチャートである。
【発明を実施するための形態】
【０００８】
＜概要＞
本発明の一態様に係る照明装置は、光源部を有するライトと、前記ライトを遠隔操作するリモコンとを備える照明装置において、前記リモコンは、表示部を有し、前記ライトの電気消費情報を前記表示部に表示する。
別態様に係る照明装置において、前記電気消費情報は、電気代又は消費電力である。
別態様に係る照明装置において、前記電気消費情報は、前記ライトで算出される消費電力に基づいている。
別態様に係る照明装置において、前記電気消費情報は、基準日からの累積の電気代又は消費電力であり、前記基準日からの使用日数が設定日数に達した日を次の基準日として、前記累積の電気代又は消費電力が算出される。
別態様に係る照明装置において、前記リモコンは前記基準日に関する情報を前記ライトに送信する。
別態様に係る照明装置において、前記リモコンは赤外線を利用している。
＜実施形態＞
以下に本発明の一態様である照明装置について図面を参照しながら詳細に説明する。ここでは、ライトがシーリングライトである照明装置を一例として説明する。
【０００９】
１．照明装置
照明装置１は、図１に示すように、ライトの一例であるシーリングライト３と、シーリングライト３を遠隔操作するためのリモコン５とを有する。シーリングライト３は、壁等に設けられたスイッチ（図示省略）の操作により点灯及び消灯する他、リモコン５の操作によっても点灯及び消灯する。
シーリングライト３は、電気消費情報を表示するための消費電力値を算出する消費電力値算出機能を有し、リモコン５からの信号により算出した消費電力値をリモコン５に送信する。
ここでのシーリングライト３は、消費電力値算出機能以外に、調光機能、調色機能、タイマー機能等の機能を少なくとも１つ有してもよく、リモコン５からの信号により調光したり、調色したりする。なお、シーリングライト３は他の機能を有してもよい。
以下、シーリングライト３及びリモコン５について説明する。
【００１０】
２．シーリングライト
シーリングライト３を図１から図６を用いて説明する。ここでは図１〜図３を主に用いる。
シーリングライト３は天井等の設置面７に取り付けられて使用される。シーリングライト３は、ライト本体１１と、ライト本体１１に着脱自在に装着される透光性カバー１３とで構成されている。透光性カバー１３はライト本体１１における設置面７と反対側を覆う。なお、シーリングライト３から光が出射される側を、表側、前側とする。
ライト本体１１は設置面７の被取付部材９にアダプタ１５を介して付け外し自在に取り付けられる。この後に透光性カバー１３をライト本体１１に装着することで、シーリングライト３が設置面７に取り付けられる。
被取付部材９として例えばロゼット、引掛けシーリング等がある。アダプタ１５は被取付部材９に着脱自在に取り付けられる。
【００１１】
（１）ライト本体
ライト本体１１を図３及び図４を主に使用して説明する。
ライト本体１１は、複数のＬＥＤ２１から構成される光源部２３、光源部２３の点灯動作を制御する回路部２５、中央に開口２６を有し開口２６の周りに光源部２３を搭載する搭載部２７、アダプタ１５に付け外し自在に取り付けられる取付部２９、透光性カバー１３を取り付けるためのカバー取付部３１、リモコン５と通信するための通信部６０（図１０参照）とを少なくとも有している。
ライト本体１１は、上記構成以外に、例えば、光源部２３を覆う光源カバー部３３、回路部２５を収容する回路収容部３５、搭載部２７の開口２６を覆うセンタカバー部３７の少なくとも１つを有してもよい。
以下、各部について説明する。
【００１２】
（１−１）光源部
光源部２３を図３〜図５を主に使用して説明する。
光源部２３は、複数個のＬＥＤ２１と、複数個のＬＥＤ２１を実装するための１枚又は複数枚（ここでは８枚である。）の実装基板４１とを有する。複数個のＬＥＤ２１は光色が異なる複数種類が用いられている。ここでの複数個のＬＥＤ２１は、電球色と昼光色との２種類からなり、異なる給電路で電力が給電される（図１０参照）。なお、ＬＥＤ２１の発光色を区別する場合、電球色用のＬＥＤの符号を「２１ａ」とし、昼光色用のＬＥＤの符号を「２１ｂ」とする。
複数枚の実装基板４１は中央が開口するように環状に配され、周方向に隣接する実装基板４１はリード線４２により接続される。
【００１３】
（１−２）回路部
回路部２５を図３、図４及び図１０を主に使用して説明する。
回路部２５は、複数個の電子部品４３，４５と、複数個の電子部品４３，４５が実装される１枚又は複数枚（ここでは１枚である。）の回路基板４７とを有する。なお、便宜上、複数個の電子部品のうち、２個の電子部品に符号「４３」、「４５」を付している。
複数個の電子部品４３，４５により、例えば、電源手段２０１、供給手段２０３、制御手段２０５等が構成される。制御手段２０５は、リモコン５からの信号により光源部２３の点灯を制御したり、消費電力値を算出したり、算出した消費電力値のリモコン５への送信を指示したりする。
回路基板４７が回路収容部３５に取り付けられ、回路収容部３５が搭載部２７の裏面側に取り付けられる。なお、回路部２５のブロック図、制御手段２０５のフローチャート、消費電力値の算出等については後述する。
【００１４】
（１−３）搭載部
搭載部２７を図２及び図４を主に使用して説明する。
搭載部２７は中央に開口２６を有する板状をしている。開口２６にはアダプタ１５が嵌合する。ここでの搭載部２７の概観形状は床側（表側）から見たときに円形状をしているが、例えば外観形状が正方形、長方形等の他の形状であってもよい。
搭載部２７の表面には、開口２６が存在する内側から外側に向けて、光源部２３を搭載するための光源部搭載領域、光源カバー部３３を取り付けるための光源カバー取付領域、カバー取付部３１を搭載するためのカバー取付部搭載領域が設けられている。搭載部２７の裏面における開口２６の周辺部には取付部２９を搭載するための取付部搭載領域が設けられている。
【００１５】
（１−４）取付部
取付部２９を図２及び図３を主に使用して説明する。
取付部２９は底壁に開口を有する有底筒状をしている。筒壁の前端が搭載部２７に当接し且つ底壁の裏面が回路収容部３５に当接する状態で、取付部２９の開口の周辺部が回路収容部３５に固定される。取付部２９のアダプタ１５への取り付けはアダプタ１５の係止爪１５ａが取付部２９の底壁の表面であって開口の周辺部に係合することで行われる。
【００１６】
（１−５）カバー取付部
カバー取付部３１を図４を主に使用して説明する。
カバー取付部３１は、複数個（ここでは３個である。）あり、搭載部２７の表面であって光源カバー部３３の外側部分を周方向に間隔をおいた複数個所に設けられている。カバー取付部３１は、後述の後カバー７１の後端部を搭載部２７の表面に当接させた状態で搭載部２７の開口２６を中心として後カバー７１を所定方向に回転させたときに、後カバー７１の係合凸部８１（図３参照）が挿入して係合する係合凹部を有している。
【００１７】
（１−６）光源カバー部
光源カバー部３３を図３及び図４を主に使用して説明する。
光源カバー部３３は光源部２３を表側から覆う。光源カバー部３３は複数個（例えば４個である。）のカバー体５１からなる。カバー体５１は表側から見たときに円環を１／４にしたような形状をしている。カバー体５１は横断面において中央部が張り出すドーム状をしている。カバー体５１の外周部分が搭載部２７の光源カバー取付領域に取り付けられる。
【００１８】
（１−７）回路収容部
回路収容部３５を図３を主に使用して説明する。
回路収容部３５は、偏平な有底筒状をし、底壁に開口５３を有している。底壁の表面（内面）に回路基板４７が取り付けられ、開口５３の周辺部に取付部２９が取り付けられる。回路収容部３５は筒壁の前端に外鍔部５４を有し、当該外鍔部５４が搭載部２７に固定される。
【００１９】
（１−８）センタカバー部
センタカバー部３７を図３、図４及び図６を主に使用して説明する。
センタカバー部３７は搭載部２７の開口２６を覆う状態で搭載部２７の開口２６の周辺部に取り付けられる。センタカバー部３７は、筒部５５と、筒部５５の前端開口を開閉自在に閉じる蓋部５７とを有している。ライト本体１１をアダプタ１５に取り付ける際には蓋部５７を開状態にして行われる。なお、蓋部５７には、常夜灯５９、リモコン５へ信号（消費電力値）を送信するための送信素子６１、リモコン５との通信チャンネルを切り替えるためのチャンネル６３が設けられている。
【００２０】
（１−９）通信部
通信部６０を図５、図６及び図１０を主に使用して設営する。
通信部６０は、リモコン５へ信号を送信する送信素子６１と、リモコン５からの信号を受信する受信素子６７とを有している。
送信素子６１は上記のようにセンタカバー部３７の蓋部５７に設けられている。受信素子６７は光源部２３の実装基板４１の１つに設けられている。受信素子６７が設けられる実装基板４１は、回路部２５からのケーブルに接続するためのコネクタ６６，６８が設けられている基板である。
【００２１】
（２）透光性カバー
透光性カバー１３は、図３に示すように、ライト本体１１に取り付けられる後カバー７１と、後カバー７１に付け外し自在に取り付けられる前カバー７３とを有する。
【００２２】
（２−１）後カバー
後カバー７１を図２〜図４を主に使用して説明する。
後カバー７１は環状をしている。ここでは、円板状の搭載部２７に対応して円環状をしている。後カバー７１は、円環状の平坦部７５と、平坦部７５の外周縁から後方へと延伸する外筒部７７と、平坦部７５の内周縁から後方へと延伸する内筒部７９とを有している。
内筒部７９の後端縁には周方向に間隔を置いて円環の中心に向かって張り出する係合凸部８１が設けられている。内筒部７９には前カバー７３の筒状部８７の後端部分が嵌合する嵌合溝８３と前カバー７３の係合凸部９５が係合する係合凹部８４とを有している。
後カバー７１は透明な透光性材料から構成されている。平坦部７５は光を拡散させるダイヤカット模様を裏面に有する。
【００２３】
（２−２）前カバー
前カバー７３を図２及び図３を主に使用して説明する。
前カバー７３は、中心に開口を有するドーム状部８５と筒状部８７とからなる第１カバー体８９と、第１カバー体８９の中央に配される第２カバー体９１と、第１カバー体８９と第２カバー体９１との間に介在する第３カバー体９３とを有している。
第１カバー体８９と第２カバー体９１は、透光性材料樹脂に拡散剤（例えば、シリコーン粒子）が混入されてなる、所謂乳白色カバーである。
第３カバー体９３は透明な透光性材料から構成され、裏面が光を拡散させるダイヤカット面となっている。
第１カバー体８９の筒状部８７には外側に突出する係合凸部９５を有し、当該係合凸部９５が後カバー７１の係合凹部８４と係合する。
【００２４】
３．リモコン
リモコン５を図１及び図７を主に利用して説明する。
リモコン５は筐体１０１と操作ユニット１０３とから構成される。リモコン５は、操作者の操作により、シーリングライト３を点灯及び消灯させる信号並びに明るさ（光度）及び光色を変更させる信号を送信したり、電気代を表示したりする。
【００２５】
筐体１０１は、長尺の箱状をし、箱を上下に２分する上ケース１０５と下ケース１０７とから構成される。なお、操作者が操作する側を上側としている。上ケース１０５には、操作ボタン１３１用の複数の開口１０９、通信センサー１４４用の開口１１１及び表示部１２９用の開口１１３が設けられている。ここでの開口１１１，１１３は保護カバー１１５により覆われている。
下ケース１０７は、内部に収容するバッテリ（ここでは乾電池１４２であり、図示を省略する。）を交換するための開口１１７を有し、この開口１１７は開閉自在に蓋体１１９により塞がれる。保護カバー１１５は、複数個の操作ボタン１３１の一部の操作ボタン１３１も覆い、操作ボタン１３１用の開口１２３を有している。
【００２６】
操作ユニット１０３は、操作部１２５と操作回路部１２７と表示部１２９とを有する。
操作部１２５は、複数個の操作ボタン１３１を有し、例えばゴム材料等を利用して一体化されている。複数個の操作ボタン１３１には電気代表示ボタン１３１ａが含まれている。操作回路部１２７は、複数個の電子部品（図示省略）と、通信センサー１４４と、複数個の電子部品及び通信センサー１４４が実装される操作基板１３７とを有し、上記機能を発揮するように回路構成されている。なお、通信センサー１４４は、送信素子１３３と受信素子１３５とを有している。
表示部１２９は電気代を表示する。表示部１２９は、電気代以外に、例えば時刻や点灯状態等を表示してもよい。表示部１２９は液晶表示手段１４１が利用され、操作基板１３７に設けられている。
【００２７】
４．シーリングライト３とリモコン５との通信
（１）概略
壁スイッチの操作によりシーリングライト３を点灯・消灯させる場合を図８を用いて説明する。
壁スイッチがＯＮされると、シーリングライト３はＬＥＤ２１への給電を開始して点灯し、消費電力値を算出し記憶する。
壁スイッチがＯＮ状態で操作者がリモコン５の電気代表示ボタン１３１ａを操作すると、リモコン５はシーリングライト３に消費電力値を要求する。これを受けて、シーリングライト３はメモリー２１９で記憶している消費電力値をリモコン５へと送信する。リモコン５は受信した消費電力値を基に電気代を計算して液晶表示手段１４１に表示する。
やがて、壁スイッチがＯＦＦされると、シーリングライト３はＬＥＤ２１への給電を停止して消灯する。
【００２８】
壁スイッチがＯＮ状態で、リモコン５の操作によりシーリングライト３を点灯させる場合を図９を用いて説明する。
壁スイッチがＯＮ状態で、リモコン５から点灯を意味する「ＯＮ」信号を受信すると、シーリングライト３はＬＥＤ２１への給電を開始して点灯し、消費電力値を算出し記憶する。やがて、リモコン５から消灯を意味する「ＯＦＦ」信号を受信すると、シーリングライト３はＬＥＤ２１への給電を停止して消灯する。
操作者がリモコン５の電気代表示ボタン１３１ａを操作すると、リモコン５からシーリングライト３へ消費電力値の要求がなされ、リモコン５は消費電力値を受信すると電気代を計算して液晶表示手段１４１に表示する。
ここでの電気代は、シーリングライト３の最初の使用日からの累積の電気代であり、使用日数が設定日数に達した際に日数カウントがリセットされ、再び１日目として累積の電気代が計算される。設定日数は１００日であり、９９日目まで累積の電気代が計算され、１００日目が日数カウントの１日目となる。
シーリングライト３における消費電力値の算出は、点灯時間が設定時間に達した際の第１ＰＷＭ回路２１１と第２ＰＷＭ回路２１３とから出力される電流と電力と設定時間とから算出される。つまり、設定時間内で電力が変化しても設定時間経過時の電力が算出される。
【００２９】
（２）シーリングライト
（２-１）構造
シーリングライト３のブロック図について図１０を利用して説明する。
回路部２５は、例えば、電源手段２０１、供給手段２０３、制御手段２０５を有している。電源手段２０１は商用電源を直流電力に変換する。ここでの電源手段２０１は例えば整流回路２０７及び直流電圧変換回路２０９を含む。
【００３０】
供給手段２０３は制御手段２０５の指示に従って電源手段２０１から出力された直流電力を電球色用のＬＥＤ２１ａ及び昼光色用のＬＥＤ２１ｂに対応するように変換して供給する。ここでの供給手段２０３は例えば電源手段２０１に対して並列に設けられた第１ＰＷＭ回路２１１と第２ＰＷＭ回路２１３とから構成される。なお、第１ＰＷＭ回路２１１の供給先はＬＥＤ２１ａであり、第２ＰＷＭ回路２１３の供給先はＬＥＤ２１ｂである。
【００３１】
制御手段２０５は、光源部２３に電力を供給したり、電力供給を停止したり等の点灯制御を行う。制御手段２０５は、通信部６０の受信素子６７を介してリモコン５から受信した指示（信号）に従って電球色用のＬＥＤ２１ａ及び昼光色用のＬＥＤ２１ｂの光出力を制御して、調光及び調色する。
制御手段２０５はＬＥＤ２１ａ，２１ｂの消費電力値の算出を行う。制御手段２０５は通信部６０の受信素子６７を介してリモコン５から消費電力値要求の信号を受信すると、算出した消費電力値を送信素子６１を介してリモコン５へと送信する。
ここでの制御手段２０５は例えばＣＰＵ２１５、時間カウンタ２１７、メモリー２１９等を含む。なお、時間カウンタ２１７は時間を計測する時間計測回路の一例である。
【００３２】
ＣＰＵ２１５はリモコン５の指示に従って当該指示に対応するデューティ比をメモリー２１９から取得して第１ＰＷＭ回路２１１と第２ＰＷＭ回路２１３とに出力する。ＣＰＵ２１５はＬＥＤ２１ａ，２１ｂを発光させると一定時間点灯毎に消費電力値を算出してメモリー２１９に累積させて記憶する。消費電力値の算出は、第１ＰＷＭ回路２１１及び第２ＰＷＭ回路２１３に出力したデューティ比に対応する電流・電圧と、時間カウンタ２１７から取得した点灯時間とから計算される。ＣＰＵ２１５は、リモコン５から消費電力値要求を受信すると、メモリー２１９に記憶している消費電力値を送信する。
時間カウンタ２１７はＣＰＵ２１５からの指示によりカウントを開始する。メモリー２１９は、リモコン５から送信されてくる点灯条件（明るさや光色である。）に対応する第１ＰＷＭ回路２１１及び第２ＰＷＭ回路２１３のデューティ比やそのデューティ比に対応する電流・電圧等を記憶する他、ＣＰＵ２１５が算出した消費電力値を記憶する。なお、メモリー２１９は電源供給がなくても記憶保持できる不揮発性メモリーである。
【００３３】
（２−２）フローチャート
本例の照明装置１は、基準日からの累積の電気消費情報（消費電力値）をリモコン５に表示させ、基準日からの使用日数が設定日数（１００日）になると、当該設定日数になった日を次の基準日として累積の電気消費情報（記憶していた消費電力値）をリセットする（０（ゼロ）にする。））。
リモコン５から電力値要求を受信するときのＣＰＵ２１５のフローチャートについて図１１を利用して説明する。
壁スイッチが「ＯＮ」されるとＣＰＵ２１５のプログラムはスタートする。ＣＰＵ２１５は、壁スイッチの「ＯＮ」により電力供給がなされると初期値（デフォルト）の点灯条件で点灯し（Ｓ１）、リモコン５からクリア信号を受信したかを判定する（Ｓ２）。
シーリングライト３は日数計測回路を備えていない。このため、使用日数が設定日数になった際にシーリングライト３はリモコン５からクリア信号を受信するように構成されている。なお、クリア信号は、シーリングライト３の記憶していた累積の消費電力値をクリアする（０（ゼロ）にする）ための信号であり、図１１において「クリア」と表示される。
【００３４】
クリア信号を受信していない場合（ステップＳ３で「Ｎｏ」である。）、点灯時間を計測する時間カウンタ２１７のカウントをスタートさせる（Ｓ５）。
ステップＳ５でカウントをスタートさせると、壁スイッチが「ＯＦＦ」されたかを判定し（Ｓ７）、「ＯＦＦ」されていない場合（ステップＳ７で「Ｎｏ」である。）、リモコン５から「ＯＦＦ」信号を受信しているかを判定する（Ｓ９）。
ステップＳ９でリモコン５から「ＯＦＦ」信号を受信してない場合（「Ｎｏ」である。）、消費電力値要求の信号を受信したかを判定し（Ｓ１１）、受信していない場合（ステップＳ１１で「Ｎｏ」である。）、時間カウンタ２１７のカウントが終了しているか（点灯時間が設定時間に達したか）を判定する（Ｓ１３）。
【００３５】
ステップＳ１３でカウントが終了している場合（「Ｙｅｓ」である。）、第１ＰＷＭ回路２１１と第２ＰＷＭ回路２１３から出力する電流値と電圧値をメモリー２１９から取得してカウント値（設定時間）とから消費電力値Ｗａを算出して、これまでの累積の消費電力値Ｗに加算して、消費電力値を記憶する（Ｓ１５）。
ステップＳ１５が終了すると、リモコン５から「ＯＦＦ」信号を受信しているかを判定する（Ｓ１７）。受信している場合（「Ｙｅｓ」である。）は消灯する（Ｓ１９）。
次に、リモコン５から「ＯＮ」信号を受信しているかを判定し（Ｓ２１）、受信していない場合（「Ｎｏ」である。）、消費電力値要求の信号を受信したかを判定する（Ｓ２３）。
【００３６】
消費電力値要求の信号を受信していない場合（ステップＳ２３で「Ｎｏ」である。）、壁スイッチが「ＯＦＦ」されたかを判定し（Ｓ２５）、ＯＦＦされている場合（「Ｙｅｓ」である。）終了する。
ステップＳ３においてクリア信号を受信している場合（「Ｙｅｓ」である。）、累積の消費電力値を示す「Ｗ」を０（ゼロ）として（Ｓ２７）後、ステップＳ５に進む。クリア信号の受信はリモコン５の日数カウンタ２５５が設定日数（１００日）を達したことを示し、それに伴って累積の消費電力値Ｗがクリアされる（消費電力値Ｗが０（ゼロ）にされる。）。
なお、壁スイッチで点灯し、数日後にリモコン５に乾電池１４２がセットされた場合、乾電池１４２のセット日からリモコン５の日数カウンタ２５５がスタートする。
ステップＳ７において壁スイッチが「ＯＦＦ」された場合（「Ｙｅｓ」である。）、消灯し（Ｓ２９）、終了する。
【００３７】
ステップＳ９においてリモコン５から「ＯＦＦ」信号を受信している場合（「Ｙｅｓ」である。）、ステップＳ１９へと進んで消灯する。
ステップＳ１１において消費電力値要求の信号を受信した場合（「Ｙｅｓ」である。）、メモリー２１９に記憶されている消費電力値Ｗをリモコン５に送信素子６１を介して送信して（Ｓ３１）、ステップＳ１３に進む。これを受けてリモコン５は電気代を計算して液晶表示手段１４１に表示させる。
ステップＳ１３において時間カウンタ２１７のカウントが終了していない場合（「Ｎｏ」である。）、リモコン５からクリア信号を受信したかを判定する（Ｓ３３）。クリア信号を受信していない場合（「Ｎｏ」である。）はステップＳ７に進み、受信している場合（「Ｙｅｓ」である。）は消費電力値Ｗを０「ゼロ」として（Ｓ３５）、ステップＳ７に進む。
【００３８】
ステップＳ１７においてリモコン５から「ＯＦＦ」信号を受信していない場合（「Ｎｏ」である。）、ステップＳ３へと進む。
ステップＳ２１においてリモコン５から「ＯＮ」信号を受信している場合（「Ｙｅｓ」である。）、ステップＳ１へと進んで点灯させる。
ステップＳ２３において消費電力値要求の信号を受信した場合（「Ｙｅｓ」である。）、メモリー２１９に記憶されている消費電力値Ｗをリモコン５に送信素子６１を介して送信して（Ｓ３７）、ステップＳ２５に進む。
ステップＳ２５において壁スイッチが「ＯＦＦ」されていない場合（「Ｎｏ」である。）、リモコン５からクリア信号を受信したかを判定する（Ｓ３９）。クリア信号を受信していない場合（「Ｎｏ」である。）はステップＳ２１に進み、クリア信号を受信している場合（「Ｙｅｓ」である。）は消費電力値Ｗを０（ゼロ）として（Ｓ４１）、ステップＳ２１に進む。
【００３９】
（３）リモコン
（３−１）構造
リモコン５のブロック図について図１２を利用して説明する。
操作回路部１２７は、例えば、ＣＰＵ２５１、メモリー２５３、日数カウンタ２５５、時計２５７を有している。なお、日数カウンタ２５５は日数計測回路の一例である。操作回路部１２７は、操作ボタン１３１、液晶表示手段１４１、バッテリ、通信センサー１４４に接続されている。なお、バッテリはここでは乾電池１４２が利用されている。
操作回路部１２７は、操作者が行う操作ボタン１３１の操作内容を受け付けたり、受け付けた内容を液晶表示手段１４１に表示させたり、受け付けた内容を通信センサー１４４の送信素子１３３からシーリングライト３に送信したり、シーリングライト３から送信された消費電力値Ｗを通信センサー１４４の受信素子１３５から受信したりする。なお、操作回路部１２７は乾電池１４２から受電する。
【００４０】
ＣＰＵ２５１は、電気代表示ボタン１３１ａの操作を受け付けると、消費電力値要求の信号を送信素子１３３から送信する。ＣＰＵ２５１は、受信素子１３５から消費電力値Ｗを受け付けると、受け付けた消費電力値Ｗに電力の目安単価を掛けて算出した電気代を液晶表示手段１４１に表示させる。
ＣＰＵ２５１は、後述の日数カウンタ２５５のカウントする日数が設定日数になるとクリア信号を送信素子１３３から送信する。
メモリー２５３は初期状態の点灯条件等を記憶する。日数カウンタ２５５はリセット時からの使用日数をカウントする。日数カウントには時計２５７が利用される。
【００４１】
（３−２）フローチャート
電気代表示する際のリモコン５のＣＰＵ２５１のフローチャートについて図１３を利用して説明する。
リモコン５内に乾電池１４２がセットされるとＣＰＵ２５１のプログラムはスタートする。ＣＰＵ２５１は、乾電池１４２のセットにより電力供給がなされると、クリア信号を送信して、クリア信号を送信したことを示す変数「Ｋ」を「０（ゼロ）」にする。ここでのクリア信号は、上記の通り、シーリングライト３の算出している累積の消費電力値をクリアするための信号であり、乾電池１４２のセット時（ステップＳ１０１）と、乾電池１４２のセット時から設定日数が経過したとき（ステップＳ１２１）とに送信される。
【００４２】
次に、変数Ｋが「０」であるかを判定し（Ｓ１０３）、「０」である場合（「Ｙｅｓ」である。）、日数カウンタ２５５に日数カウントをスタートさせて（Ｓ１０５）、変数Ｋを「１」とする（Ｓ１０７）。
次ステップであるＳ１０９でシーリングライト３の点灯要求があるかを判定し（Ｓ１０９）、要求がある場合（「Ｙｅｓ」である。）、「ＯＮ」信号を送信素子１３３から送信し（Ｓ１１１）、シーリングライト３の消灯要求があるかを判定する（Ｓ１１３）。
消灯要求がある場合（ステップＳ１１３で「Ｙｅｓ」である。）、「ＯＦＦ」信号を送信素子１３３から送信し（Ｓ１１５）、日数カウンタ２５５のカウントした日数が設定値（１００日）であるかを判定する（Ｓ１１７）。
日数が設定値でない場合（ステップＳ１１７で「Ｎｏ」である。）、電気代表示要求があるかを判定し（Ｓ１１９）、要求がない場合（「Ｎｏ」である。）、ステップＳ１０３に戻る。
【００４３】
ステップＳ１０３において変数Ｋが「０」でない場合（「Ｎｏ」である。）、ステップＳ１０９に進む。ここで変数Ｋが「０」でない場合は、すでにクリア信号を送信した後であり、日数カウンタ２５５をスタートさせる必要がない。
ステップＳ１０９において点灯要求がない場合（「Ｎｏ」である。）はステップＳ１１３に進む。ステップＳ１１３において消灯要求がない場合（「Ｎｏ」である。）はステップＳ１１７に進む。
【００４４】
ステップＳ１１７において日数カウンタ２５５がカウントする日数が設定値（設定日数）である場合（「Ｙｅｓ」である。）、累積の消費電力値Ｗを「０（ゼロ）」にするタイミングであり、クリア信号を送信素子１３３から送信すると共に変数Ｋを「０（ゼロ）」にし（Ｓ１２１）、ステップＳ１１９に進む。
ステップＳ１１９において電気代表示要求がある場合（「Ｙｅｓ」である。）、消費電力値を要求する（消費電力値を要求する信号を送信素子１３３から送信する）（Ｓ１２３）。そして、シーリングライト３から消費電力値を受信素子１３５から受信する（Ｓ１２５で「Ｙｅｓ」である。）と、電気代を計算して液晶表示手段１４１に表示し（Ｓ１２７）、ステップ１０３に進む。
電気代の計算は、消費電力に電気の目安単価をかけることで行われる。なお、電気の目安単価はメモリー２５３に記憶されている。
【００４５】
＜変形例＞
以上、実施形態に係る照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００４６】
１．ライト
（１）構造
実施形態におけるライトはシーリングライト３であったが、ライトは他のタイプであってもよい。他のタイプとしては、壁掛け式、ペンダント式、埋設式等がある。
実施形態における光源部はＬＥＤにより構成されていたが、光源部は、例えば、蛍光灯、有機ＥＬ素子等により構成されてもよい。
実施形態のライト（シーリングライト３）は調光及び調色可能に構成されていたが、例えば、調光のみ可能な構成であってもよいし、調色のみ可能な構成であってもよいし、また、光度及び光色が一定な構成であってもよい。
【００４７】
（２）回路部
実施形態の回路部２５はＬＥＤ２１へ電力を供給するために信号線式（ＰＷＭ制御）を利用したが、例えば位相制御式であってもよいし、他の方式であってもよい。
実施形態の回路部２５は点灯条件に対応するデューティ比と電気特性（電圧と電流）とをテーブルとしてメモリー２１９に記憶している。しかしながら、電気特性は記憶してなくてもよい。この場合、回路部はＬＥＤに供給される電気特性（電圧と電流値）を検出する電気特性検出回路を備えればよい。
実施形態の回路部２５は点灯時間を計測する時間計測回路（時間カウンタ２１７）を有しているが、回路部は時間計測回路を有していなくてもよい。この場合、リモコンから点灯時間情報を受信すればよい。
実施形態の回路部２５は、使用日数を計測する日数計測回路を有していないが、日数計測回路を有してもよい。この場合、当該日数計測回路により計測された使用日数が設定日数になったときに記憶している累積の消費電力値をリセットすれば（０にすれば）よい。
【００４８】
２．リモコン
（１）構成
実施形態におけるリモコン５は赤外線を利用した無線タイプであるが、例えばライト（３）と配線を通じて接続されている有線タイプであってもよい。また、リモコンは、携帯タイプ（携帯タイプを壁等に固定できるようにしたものも含む。）であってもよいし、固定タイプであってもよい。固定タイプのリモコンの場合、壁スイッチと別に存在しても良いし、壁スイッチと一体化したものであってもよい。実施形態におけるリモコン５はバッテリとして乾電池１４２を交換可能に備えるが、例えばバッテリとして充電式の電池を備えてもよいし、内蔵型の充電池を備えてもよい。
【００４９】
（２）基準日に関する情報
実施形態のリモコン５における操作回路部１２７は、基準日からの使用日数が設定日数に達したか否かを判定し、設定日数に達していた場合にクリア信号をシーリングライト３に送信している。しかしながら、リモコンは基準日に関する情報をライトに送信すればよく、クリア信号以外の他の情報であってもよい。他の情報としては、使用日数、設定日数までの残りの残日数等である。例えば使用日数の場合、受信した使用日数が設定日数に対する大小をライトが判定することで実施できる。
【００５０】
（３）リセット信号
実施形態のリセット信号は、乾電池がセットされたとき、基準日からの使用日数が設定日数に達したときに、シーリングライト３に送信しているが、操作者から電気代のリセット（操作日を基準日とする）操作を受け付けると、リセット信号をライトに送信するようにしてよい。
【００５１】
３．電気消費情報
（１）電気消費情報
実施形態の電気消費情報は、消費電力（ｋｗｈ）に電気の目安単価（円／ｋｗｈ）を乗じた電気代であったが、例えば、消費電力、電荷量であってもよい。
消費電力もライトの点灯中の電気特性（電圧及び電流）と点灯時間とにより算出される。つまり、実施形態において、リモコン５がシーリングライト３から受信する消費電力値をそのまま液晶表示手段１４１に表示させればよい。
電気消費情報を電荷量とする場合はライトの点灯中の電流値に使用時間を乗じることで算出される。
【００５２】
（２）算出方法
実施形態の消費電力値は設定時間（１５分）経過後に当該経過時の電気特性に基づいて算出されているが、他の方法で消費電力値を算出してもよい。他の方法として、設定時間の開始時の電気特性に基づいて算出してもよいし、設定時間開始時と設定時間終了時の各電気特性の平均に基づいて算出してもよい。
また、実施形態での設定時間は１５分であったが、この時間に限定されるものではない。
実施形態では設定時間単位で消費電力値を算出しているが、例えば、１回の点灯消灯の点灯時間を利用して算出してもよい。この場合の電気特性も、点灯時の電気特性、消灯時の電気特性、点灯時と消灯時の電気特性の平均値を利用できる。
実施形態では設定時間単位で消費電力値を算出しているが、例えば、点灯条件が変更されるタイミングで算出してもよい。この場合、第１の点灯条件で点灯開始すると時間計測回路をスタートさせ、第２の点灯条件に変更されると時間計測回路を終了させて、第１の点灯条件での点灯時間を得ること実施できる。
【００５３】
（３）設定日数
実施形態での基準日からの設定日数の前日までの累積の電気代を表示するようになっている。この設定日数は実施形態では１００日となっているが、この日数に限定されるものではなく、例えば、１週間単位である８日であってもよいし、１月単位である３１日であってもよい。
また、実施形態では累積の電気代を表示しているが、例えば、表示要求があった日の累計の電気消費情報を表示させてもよし、表示要求があった時の電気消費情報を表示させてもよい。
【符号の説明】
【００５４】
１    照明装置
３    シーリングライト
５    リモコン
２３    光源部
１２９    表示部
【図１】
2016219159.tif 000003
【図２】
2016219159.tif 000004
【図３】
2016219159.tif 000005
【図４】
2016219159.tif 000006
【図５】
2016219159.tif 000007
【図６】
2016219159.tif 000008
【図７】
2016219159.tif 000009
【図８】
2016219159.tif 000010
【図９】
2016219159.tif 000011
【図１０】
2016219159.tif 000012
【図１１】
2016219159.tif 000013
【図１２】
2016219159.tif 000014
【図１３】
2016219159.tif 000015